(57)【要約】【課題】水平板部の切断跡形状を除去しなくても安全性を向上させることができるボーダー部材を提供する。【解決手段】下地床面１０と略平行に設けられる水平板部３６と、水平板部３６の一端から折れ曲がって連続して形成され、先端部が下地床面１０に接地される垂直板部３８と、水平板部３６の他端３６ａを覆うカバー部材３４とを備えるようにした。【効果】水平板部の切断跡形状を除去しなくても安全性を向上させることができる。【選択図】図１
2008133647.tif 000002
【特許請求の範囲】
【請求項１】
下地床面と略平行に設けられる水平板部と、
前記水平板部の一端から折れ曲がって連続して形成され、先端部が下地床面に接地される垂直板部と、
前記水平板部の他端を覆うカバー部材と
を備えたことを特徴とするボーダー部材。
【請求項２】
前記カバー部材には、前記水平板部の他端側を支持する支持台に係合する係合部が形成されている
ことを特徴とする請求項１に記載のボーダー部材。
【請求項３】
下地床面と略平行に設けられる水平板部と、前記水平板部の一端から折れ曲がって連続して形成され、先端部が下地床面に接地される垂直板部と、前記水平板部の他端を覆うカバー部材とを備えたボーダー部材と、
前記ボーダー部材の隣接部に、下地床面と略平行に設けられるパネルとを、
同じ支持台で支持することを特徴とするボーダー部設置構造。
【請求項４】
前記支持台の上面部に凹部が形成され、前記カバー部材に前記凹部に係合する係合部が形成されている
ことを特徴とする請求項３に記載のボーダー部設置構造。
【発明の詳細な説明】
【技術分野】
【０００１】
本発明は、クリーンルームやオフィスルーム等の部屋の内側に敷設されるフリーアクセスフロアに関し、特にそのボーダー部材、及びボーダー部設置構造に関するものである。
【背景技術】
【０００２】
図５及び図６は、従来のボーダー部材６、及びこの従来のボーダー部材６を設置した場合のボーダー部設置構造を示す側面断面図及び平面図である。ボーダー部材６は、図５に示すように、フリーアクセスフロア２が敷設される部屋の下地床面１０上であって、フリーアクセスフロア２のパネル部材３と、部屋の壁４との間に設置されているが、ボーダー部材６は、このような場所だけでなく、パネル部材３に連続するフリーアクセスフロア２の床面を形成するために、図示しない様々な場所に設置される。
【０００３】
すなわち、ボーダー部材６は、定形部材であるフリーアクセスフロア２のパネル部材３を配置することができない壁４の壁際や、部屋内の壁４から離れた位置の図示しない柱の周囲等に形成される中途半端な空間に、パネル部材３に連続するフリーアクセスフロア２の床面を形成するために設置される。
【０００４】
以下の説明においては、パネル部材３を配置することができない壁４の壁際や、図示しない柱の周囲等の中途半端な空間をボーダー部と呼ぶこととする（図５参照）。また、ボーダー部と、このボーダー部と隣合って配置されるパネル部材３との取合をボーダー部設置構造と呼ぶこととする。
【０００５】
ボーダー部材６は、下地床面１０と略垂直の方向に厚さ（図５中、寸法ｔ０）を有し、下地床面１０と略平行方向、かつ図５中紙面に垂直方向の長さと、図５中横方向の幅を有する水平板部２６と、この水平板部２６の幅方向長さの一端から下地床面１０側に垂直に折れ曲がって連続して形成された垂直板部２８とを備えて構成されている。
【０００６】
ボーダー部材６は、その水平板部２６がボーダー部を覆い、この水平板部２６における幅方向の垂直板部２８と反対側の端部２６ａがパネル部材３の上面に載置されると共に、垂直板部２８が、下地床面１０上に略垂直に突き立てられて配置される。
【０００７】
このようなボーダー部材６により、ボーダー部には、パネル部材３と下地床面１０との間の高さ方向に大きな段差（支持台８の高さにパネル部材３の厚さを加えた寸法の段差）が生じないようにし、かつ部屋のフリーアクセスフロア２の床面がパネル部材３から延長して形成されるようになっていた。
【０００８】
一方、フリーアクセスフロア２は、そのパネル部材３が支持台８により支持される構造になっている。支持台８は、調整台１４と、この調整台１４を支持する脚部１６を備えて構成されている。
【０００９】
図７は、図５，６から支持台８だけを取り出して、これをその調整台１４の上方から垂直方向に見下ろしたときの状態を示す、支持台８の平面図である。同図に示すように、支持台８は、その調整台１４の上端面１８上に開口するよう形成されて、後述するパネル部材３の折曲った側板部２４と係合可能な４本の溝部２０を有している。
【００１０】
この支持台８の４本の溝部２０は、これら４本の中の２本が、上端面１８上の一方向に伸びるよう互いに平行に一定間隔で並んで配置され、この２本と直角に交差するように、他の２本が互いに平行に一定間隔で並んで配置されている。これら４本の溝部２０のそれぞれは、互いに平行に並んで配置される２本の組合せ同士が、互いの長さ方向のほぼ中央において交差している。各溝部２０の長さ方向において、この長さ方向と直角方向に伸びる他の溝部２０との交差位置から、この長さ方向と平行な、上端面１８の円周面接線までの長さ寸法を、図７においてはＬで表すこととする。
【００１１】
また、図８は、図５，６からフリーアクセスフロア２のパネル部材３だけを取り出して、これをその上方から垂直方向に見下ろしたときの状態を示す、パネル部材３の平面図である。パネル部材３は、定形部材であって、同図に示すように、平面形状が略正方形の天板部２２と、天板部２２の四辺のそれぞれに、下地床面１０側（図８中、紙面に垂直方向の奥側）に一定高さを有するよう折曲げて設けられる側板部２４とを有している。
【００１２】
図６に示すように、パネル部材３は、水平面において縦方向及び横方向に整列して配置される。そして、支持台８は、ボーダー部と隣合って配置されるパネル部材３の、ボーダー部側の隅部を支持するのに用いられるものを除いて、４枚のパネル部材３の各隅部が一ヶ所に集まる位置に配置され、この４枚のパネル部材３の各隅部を下側から支持するようになっている。
【００１３】
このようなフリーアクセスフロア２の、各支持台８が４枚のパネル部材３の各隅部を支持するときの支持構造は、各パネル部材３における天板部２２の各隅部が、図７に示す支持台８の上端面１８上に載置されると共に、各パネル部材３の天板部２２における四辺のそれぞれと平行方向に伸びる、図８に示す各側板部２４の両端部のそれぞれが、対応する支持台８の図７に示す溝部２０の寸法Ｌの長さ範囲で係合する構造になっている。
【発明の開示】
【発明が解決しようとする課題】
【００１４】
しかしながら、上述したような従来のボーダー部材６及びボーダー部設置構造においては、ボーダー部材６の幅方向の長さ（図５中横方向の長さ）の調整を、水平板部２６における垂直板部２８と反対側の端部を切り落として行なうようにしていたので、図示しないが、このような切断後の水平板部２６の端部２６ａ側の端面には切断跡形状（バリ）が形成されてしまう。このような切断跡形状は、端部２６ａ側の端面に、図５中、紙面に垂直の方向に沿って微小の鋸歯状の突起等が不規則に並んで形成されるものであるため、例えば、素手等で触れると、触れた手の指等を切ってしまう危険性がある。
【００１５】
このため、水平板部２６の端部２６ａに切断跡形状を残したままの状態で、図５に示すように、ボーダー部材６をボーダー部に設置した場合には、その切断跡形状がパネル部材３上に配置されることになるので、例えば、フリーアクセスフロア２の敷設後において、床下配線等の作業者等が、ボーダー部材６の水平板部２６上に誤って手を付いてしまったときに指等を切ってしまうおそれがあり、安全性に問題があった。
【００１６】
また、安全性の向上のために、やすり掛け等により水平板部２６の端部２６ａ側の端面から切断跡形状を除去するようにしてもよいが、この場合にはそのような切断跡形状の除去作業に時間やコストがかかるという問題があった。
【００１７】
また、従来のボーダー部材６及びボーダー部設置構造においては、ボーダー部材６における水平板部２６の端部２６ａが、パネル部材３の上面に載置され、垂直板部２８が、下地床面１０上に略垂直に突き立てられて載置されるだけの構造であるため、図示しないが、垂直板部２８がボーダー部内で水平方向にずれてしまったり、何らかの外力により水平板部２６が傾斜して端部２６ａが浮き上がってしまったりすることがあるため、このような観点から安全性や信頼性に問題があった。
【００１８】
そこで本発明は、上記問題点に鑑みて、水平板部の切断跡形状を除去しなくても安全性を向上させることができるボーダー部材及びボーダー部設置構造を提供することを課題とするものである。
【００１９】
また本発明は、上記問題点に鑑みて、ボーダー部材がずれたり浮き上がったりしてしまうのを防止して、安全性や信頼性を向上させることができるボーダー部材及びボーダー部設置構造を提供することを課題とするものである。
【課題を解決するための手段】
【００２０】
上記課題を解決するために、本発明によるボーダー部材は、
下地床面と略平行に設けられる水平板部と、
前記水平板部の一端から折れ曲がって連続して形成され、先端部が下地床面に接地される垂直板部と、
前記水平板部の他端を覆うカバー部材とを備えたことを特徴とするものである。
【００２１】
また、本発明によるボーダー部材において、前記カバー部材には、前記水平板部の他端側を支持する支持台に係合する係合部が形成されていることを特徴とするものである。
【００２２】
また、上記課題を解決するために、本発明によるボーダー部設置構造は、
下地床面と略平行に設けられる水平板部と、前記水平板部の一端から折れ曲がって連続して形成され、先端部が下地床面に接地される垂直板部と、前記水平板部の他端を覆うカバー部材とを備えたボーダー部材と、
前記ボーダー部材の隣接部に、下地床面と略平行に設けられるパネルとを、
同じ支持台で支持することを特徴とするものである。
【００２３】
また、本発明によるボーダー部設置構造において、前記支持台の上面部に凹部が形成され、前記カバー部材に前記凹部に係合する係合部が形成されていることを特徴とするものである。
【発明の効果】
【００２４】
このような本発明に係るボーダー部材によれば、
下地床面と略平行に設けられる水平板部と、
前記水平板部の一端から折れ曲がって連続して形成され、先端部が下地床面に接地される垂直板部と、
前記水平板部の他端を覆うカバー部材とを備えたことにより、
カバー部材が切断跡形状を覆うことができるので、安全性を向上することができる。
【００２５】
また、本発明のボーダー部材において、前記カバー部材には、前記水平板部の他端側を支持する支持台に係合する係合部が形成されていることにより、ボーダー部材がずれたり浮き上がったりしてしまうのを防止して、安全性や信頼性を向上させることができる。
【００２６】
また、本発明に係るボーダー部設置構造によれば、
下地床面と略平行に設けられる水平板部と、前記水平板部の一端から折れ曲がって連続して形成され、先端部が下地床面に接地される垂直板部と、前記水平板部の他端を覆うカバー部材とを備えたボーダー部材と、
前記ボーダー部材の隣接部に、下地床面と略平行に設けられるパネルとを、
同じ支持台で支持することにより、
カバー部材が切断跡形状を覆うことができるので、安全性を向上することができる。
【００２７】
また、本発明のボーダー部設置構造において、前記支持台の上面部に凹部が形成され、前記カバー部材に前記凹部に係合する係合部が形成されていることにより、ボーダー部材がずれたり浮き上がったりしてしまうのを防止して、安全性や信頼性を向上させることができる。
【発明を実施するための最良の形態】
【００２８】
以下、本発明に係るボーダー部材及びボーダー部設置構造を実施するための最良の形態について、図面に基づいて具体的に説明する。
【００２９】
図１及び図２は、本発明の第１の実施の形態に係るボーダー部材３２及びボーダー部設置構造について説明するために参照する図である。従来と同様の部分には同じ符号を用いて説明し、従来と同様の構成についての重複する説明は省略するものとする。また、以下の説明において、ボーダー部と隣合って配置されるパネル部材３の、ボーダー部側の隅部を支持する支持台８を、ボーダー側支持台８Ａと呼ぶこととする。
【００３０】
本実施の形態に係るボーダー部材３２は、図１及び図２に示すように、水平板部３６、垂直板部３８、及びカバー部材３４を備えて構成されている。このボーダー部材３２の水平板部３６は、その幅方向の長さ（図１中横方向の長さ）が、ボーダー部の幅方向の長さ（同じく図１中横方向の長さ）よりも、若干短くなるように調整されて形成されている。
【００３１】
このような水平板部３６の幅方向の長さの調整は、図示しないが、当初の水平板部３６の垂直板部３８と反対側の端部を切り落として行なわれる。このため、このような切断作業による幅方向の長さの調整が行なわれた後の、図１に示す水平板部３６における端部３６ａ側の端面には、図示しないが、微小の鋸歯状の突起等が不規則に並ぶ切断跡形状が形成されている。
【００３２】
また、カバー部材３４は、その断面形状が略Ｕ字型になるように形成されている。カバー部材３４は、このような構造を有していることにより、水平板部３６の、図１中、紙面に垂直方向の長さ全体に渡って、この水平板部３６の端部３６ａを略Ｕ字型の断面形状により包み込んで、この水平板部３６の端部３６ａに固定されるようになっている。そして、ボーダー部材３２は、カバー部材３４がボーダー側支持台８Ａの上端面１８上に載置されて支持されるようになっている。
【００３３】
このような本実施の形態に係るボーダー部材３２及びボーダー部設置構造によれば、カバー部材３４が、水平板部３６の前記切断跡形状を覆うようになっているので、水平板部３６の端部３６ａに触れた手の指等を切ってしまうことを防止できるため、安全性を向上することができる。
【００３４】
また、本実施の形態に係るボーダー部材３２及びボーダー部設置構造によれば、このボーダー部材３２の水平板部３６における端部３６ａが、何らかの外力により浮き上がってしまったときでも、カバー部材３４は端部３６ａから外れないので、カバー部材３４が水平板部３６の切断跡形状を覆った状態を保持することができ、やはり安全性を向上することができる。
【００３５】
次に、図３は、本発明の第２の実施の形態に係るボーダー部材５２及びボーダー部設置構造について説明するために参照する図である。
本実施の形態に係るボーダー部材５２は、その平面的な外観が、前記第１の実施の形態に係るボーダー部材３２を示す図２とほぼ同様に表されるため、平面図は省略する。
【００３６】
以下の説明においては、パネル部材３とボーダー部との間の境界線と平行方向（図３中、紙面に垂直の方向）に伸びて、ボーダー部の内側を通るボーダー側支持台８Ａの溝部２０（凹部に相当）を、特に、ボーダー内溝部２０ａと呼ぶこととする。
【００３７】
本実施の形態に係るボーダー部材５２は、図３に示すように、水平板部５６、垂直板部５８、及びカバー部材５４を備えて構成されている。ボーダー部材５２は、水平板部５６の垂直板部５８と反対側の端部５６ａが、ボーダー側支持台８Ａの上端面１８上に載置されて支持されるようになっている。
【００３８】
また、ボーダー部材５２のカバー部材５４は、上面カバー部６０と係合部６２とを有している。このカバー部材５４の上面カバー部６０は、水平板部５６の図３中、紙面に垂直方向の長さと同じ長さを有し、水平板部５６の幅方向（図３中、横方向）に、水平板部５６の幅よりも短い長さの一定幅を有する板状に形成されている。
【００３９】
また、カバー部材５４の係合部６２は、上面カバー部６０におけるその幅方向長さの、パネル部材３側が、下地床面１０側に高さを有するよう直角に折曲げられて形成されたものである。
【００４０】
カバー部材５４は、このような構造を有していることにより、その上面カバー部６０が、水平板部５６の図３中、紙面に垂直の長さ全体に渡って、この水平板部５６の幅方向長さの端部５６ａに、下地床面１０とは反対側からその図中下面を当接して、この水平板部５６の端部５６ａを覆うようになっていると共に、係合部６２が、ボーダー側支持台８Ａのボーダー内溝部２０ａに挿し込まれて係合するようになっている。
【００４１】
このような本実施の形態に係るボーダー部材５２及びボーダー部設置構造によれば、カバー部材５４が、水平板部５６の端部５６ａの、前述したような切断跡形状を覆うようになっているので、水平板部５６の端部５６ａに触れた手の指等を切ってしまうことを防止できるため、安全性を向上することができる。
【００４２】
また、本実施の形態に係るボーダー部材５２及びボーダー部設置構造によれば、カバー部材５４の係合部６２が、ボーダー側支持台８Ａのボーダー内溝部２０ａに挿し込まれて係合するようになっていることにより、水平板部５６の端部５６ａがずれたり浮き上がったりしてしまうのを防止できるため、安全性や信頼性を向上させることができる。
【００４３】
次に、図４は、本発明の第３の実施の形態に係るボーダー部材７２及びボーダー部設置構造について説明するために参照する図である。
本実施の形態に係るボーダー部材７２については、その平面的な外観が、前記第１の実施の形態に係るボーダー部材３２を示す図２とほぼ同様に表されるため、前記第２の実施の形態と同様に平面図は省略する。
【００４４】
本実施の形態に係るボーダー部材７２は、図４に示すように、水平板部７６、垂直板部７８、及びカバー部材７４を備えて構成されている。
【００４５】
カバー部材７４は、上面カバー部８０、挟持部８２、及び係合部８４を有している。上面カバー部８０は、前記第２の実施の形態におけるカバー部材５４の上面カバー部６０（図３参照）と同様に、水平板部７６の端部７６ａに下地床面１０とは反対側からその図中下面を当接して、この水平板部７６の端部７６ａを覆うようになっている。
【００４６】
また、係合部８４は、前記第２の実施の形態におけるカバー部材５４の係合部６２と同様に、上面カバー部８０におけるその幅方向長さのパネル部材３側が、下地床面１０側に高さを有するよう直角に折曲げられて形成されたものであり、ボーダー側支持台８Ａのボーダー内溝部２０ａに挿し込まれて係合するようになっている。
【００４７】
また、挟持部８２は、水平板部７６の端部７６ａにその図中上面を下地床面１０側から当接して、上面カバー部８０との間に水平板部７６の端部７６ａを挟み込むようになっている。これにより、カバー部材７４は、水平板部７６の端部７６ａに固定されるようになっている。また、挟持部８２は、その幅方向長さのパネル部材３側の端部が、係合部８４の高さ中間部に連結されており、上面カバー部８０及び係合部８４と一体的に構成されている。
【００４８】
そして、ボーダー部材７２は、そのカバー部材７４の挟持部８２が、ボーダー側支持台８Ａの上端面１８上に載置されて支持されるようになっている。
【００４９】
このような本実施の形態に係るボーダー部材７２及びボーダー部設置構造によれば、カバー部材７４が、水平板部７６の端部７６ａの、前述したような切断跡形状を覆うようになっているので、水平板部７６の端部７６ａに触れた手の指等を切ってしまうことを防止できるため、安全性を向上することができる。
【００５０】
また、本実施の形態に係るボーダー部材７２及びボーダー部設置構造によれば、カバー部材７４の係合部８４が、ボーダー側支持台８Ａのボーダー内溝部２０ａに挿し込まれて係合するようになっていることにより、水平板部７６の端部７６ａがずれたり浮き上がったりしてしまうのを防止できるため、安全性や信頼性を向上させることができる。
【００５１】
また、本実施の形態に係るボーダー部材７２及びボーダー部設置構造によれば、何らかの外力により、カバー部材７４の係合部８４が、ボーダー側支持台８Ａのボーダー内溝部２０ａから外れて、水平板部７６の端部７６ａが浮き上がってしまったときでも、カバー部材７４は端部７６ａから外れないので、カバー部材７４が端部７６ａの切断跡形状を覆った状態を保持することができ、安全性をさらに向上することができる。
【００５２】
なお、前記第１の実施の形態において支持台８，８Ａの調整台１４には、図１に示すように溝部２０が形成され、この溝部２０にパネル部材３の側板部２４が係合するようになっていたが、支持台８の調整台１４に溝部２０を形成しないようにすると共に、パネル部材３に側板部２４を設けないようにして、パネル部材３の隅部を調整台１４にネジ止めするようにしてもよい。
【００５３】
また、前記第１から第３の実施の形態において支持台８，８Ａは、調整台１４及び脚部１６を備える構造のものであったが、支持脚は、このような構造のものに限定されない。例えば、支持台８の上端面１８及び溝部２０と同様の上端面及び溝部を有する略円柱形状体等、どのような構造のものであってもよい。
【００５４】
また、前記第１から第３の実施の形態においてボーダー側支持台８Ａは、互いに隣合って並ぶ２つのパネル部材３のボーダー部側の互いに隣合う２つの隅部を支持するようになっていたが（図２参照）、１つのパネル部材３におけるボーダー部側の縁部を支持するようになっていてもよい。
【００５５】
また、前記第１の実施の形態に係るボーダー部材３２において、図１に示す水平板部３６の厚さ寸法ｔ２、及びカバー部材３４の厚さ寸法ｔ３は、特に限定されるものではないが、カバー部材３４の厚さ寸法ｔ３が、パネル部材３の天板部２２の厚さ寸法ｔ１と等しくなるように寸法ｔ２及びｔ３を設定することにより、カバー部材３４とパネル部材３との高さ方向の段差をなくすことができる。そしてこのようにするために、ボーダー側支持台８Ａの上端面１８の高さを、パネル部材３側よりも水平板部３６側の方が低くなるようにすることもできる。
【００５６】
また、前記第２及び第３の実施の形態に係るボーダー部材５２，７２においても、図３に示すカバー部材５４の上面カバー部６０の厚さ寸法ｔ４と、水平板部５６の厚さ寸法ｔ５を足し合せた合計寸法、並びに、図４に示すカバー部材７４の上面カバー部８０の厚さ寸法ｔ６、挟持部８２の厚さ寸法ｔ７、及び水平板部７６の厚さ寸法ｔ８を足し合せた合計寸法のそれぞれを、パネル部材３の天板部２２の厚さ寸法ｔ１と等しくなるように設定することにより、カバー部材５４，７４のそれぞれとパネル部材３との高さ方向の段差をなくすことができる。
【００５７】
また、図３に示す、前記第２の実施の形態に係るボーダー部材５２において、水平板部５６の端部５６ａと、カバー部材５４とが互いに固定されるようにはなっていなかったが、例えば、水平板部５６の端部５６ａと、カバー部材５４の上面カバー部６０との間に両面テープ又は接着剤を介在させて、或いはこれらと同等の方法により、両者を互いに固定するようになっていてもよい。
【図面の簡単な説明】
【００５８】
【図１】本発明の第１の実施の形態に係るボーダー部材３２及びボーダー部設置構造を示す側面断面図である。
【図２】本発明の第１の実施の形態に係るボーダー部材３２及びボーダー部設置構造を示す平面図である。
【図３】本発明の第２の実施の形態に係るボーダー部材５２及びボーダー部設置構造を示す側面断面図である。
【図４】本発明の第３の実施の形態に係るボーダー部材７２及びボーダー部設置構造を示す側面断面図である。
【図５】従来のボーダー部材６及びボーダー部設置構造を示す側面断面図である。
【図６】従来のボーダー部材６及びボーダー部設置構造を示す平面図である。
【図７】図６中の支持台８だけを取り出して垂直に見下ろした状態を示す平面図である。
【図８】図６中のパネル部材３だけを取り出して垂直に見下ろした状態を示す平面図である。
【符号の説明】
【００５９】
２  フリーアクセスフロア
３  パネル部材
４  壁
６  ボーダー部材
８  支持台
８Ａ  ボーダー側支持台
１０  下地床面
１４  調整台
１６  脚部
１８  上端面
２０  溝部
２０ａ  ボーダー内溝部
２２  天板部
２４  側板部
２６  水平板部
２６ａ  端部
２８  垂直板部
３２  ボーダー部材
３４  カバー部材
３６  水平板部
３６ａ  端部
３８  垂直板部
５２  ボーダー部材
５４  カバー部材
５６  水平板部
５８  垂直板部
６０  上面カバー部
６２  係合部
７２  ボーダー部材
７４  カバー部材
７６  水平板部
７８  垂直板部
８０  上面カバー部
８２  挟持部
８４  係合部
【図１】
2008133647.tif 000003
【図２】
2008133647.tif 000004
【図３】
2008133647.tif 000005
【図４】
2008133647.tif 000006
【図５】
2008133647.tif 000007
【図６】
2008133647.tif 000008
【図７】
2008133647.tif 000009
【図８】
2008133647.tif 000010